(57)【要約】【課題】ヒューズベースにおいて、外部配線を省略して外部配線のスペースをなくすことができる。【解決手段】ヒューズベース１０は、ヒューズベース本体１０ａにヒューズ１３とリレー１４をそれぞれ着脱可能に装着するヒューズ装着部とリレー装着部を配列して形成した。ヒューズベース本体１０ａ内に配設された内部配線１５によって、ヒューズ装着部に装着したヒューズ１３とリレー装着部に装着したリレー１４の各端子を接続する。【選択図】図２
2011060642.tif 000002
【特許請求の範囲】
【請求項１】
ヒューズとリレーをヒューズベース本体に着脱可能に装着してなるヒューズベースであって、
ヒューズベース本体はリレーを装着するリレー装着部とヒューズを装着するヒューズ装着部とをそれぞれ備え、装着されたヒューズとリレーを接続する内部配線がヒューズベース本体内に配設されていることを特徴とするヒューズベース。
【請求項２】
リレーはヒューズベース本体のリレー装着部にそれぞれ装着される第一リレーと第二リレーとを少なくとも有しており、第一リレーと第二リレーは接続部材を装着することで内部配線を通して電気的に接続されるようにしたことを特徴とする請求項１に記載されたヒューズベース。
【請求項３】
接続部材はヒューズ装着部に装着可能な接続用ヒューズである請求項２に記載されたヒューズベース。
【発明の詳細な説明】
【技術分野】
【０００１】
本発明は、リレーやヒューズを装着して電気的に接続するためのヒューズベースに関する。
【背景技術】
【０００２】
一般に、建設機械等の電気配線の分岐を行う場合、多数のリレーやヒューズ等を装着するためのヒューズベースが用いられている。例えば、下記特許文献１に記載されたヒューズベースではヒューズを装着する電流端子に外部接続配線が六角ボルトとナットによって離脱可能に電気的に接続されている。そのため、例えばヒューズとリレーを電気的に接続する場合には、ヒューズに接続された外部接続配線を介してリレーに配線接続する必要があった。また、ヒューズ交換のためには、六角ボルトからナットを外して電流端子を緩める必要があった。
【０００３】
また、図６に示す他のヒューズベースの例では、ヒューズベース１にリレー２とヒューズ３とが別個に装着されており、リレー２におけるコイルの端子とスイッチの端子とヒューズ３の端子とを外部配線４によってそれぞれ接続する必要があった。
また、更に別のヒューズベースの例では、図７（ａ）に示すヒューズベース１において、装着されたヒューズ３と第一リレー６が外部配線４によって接続されている。この第一リレー６に第二リレー７を接続する場合、図７（ｂ）に示すように第一リレー６におけるコイルの端子に、第二リレー７におけるスイッチの端子とコイルの端子とを追加の外部配線８によって接続していた。
【先行技術文献】
【特許文献】
【０００４】
【特許文献１】実開平４−９８２４３号公報
【発明の概要】
【発明が解決しようとする課題】
【０００５】
しかしながら、上述したヒューズベースにおいて、特許文献１に記載されたものでは、外部接続配線を用いてヒューズとリレー等を接続する必要があった。また、図６に示す例では外部配線４を用いてヒューズ３とリレー６を接続し、図７に示す例では更に第一リレー６と第二リレー７を追加の外部配線８を用いて接続する必要があった。
【０００６】
そのため、ヒューズやリレー等の電気部品をヒューズベース上で接続する場合、外部配線を用いて接続する必要があり、外部配線の設計や組立の手間等でコストがかかる上に、配線組立時に接続ミス等が生じる懸念もあった。また、外部配線のスペースを確保する必要があり、第一リレー６だけを使用して第二リレー７を使用しない場合であっても追加の外部配線８を用意しておく必要がある等、スペースや配線が無駄であるという欠点があった。
【０００７】
本発明は、このような実情に鑑みて、外部配線を省略して外部配線のスペースをなくすことができるヒューズベースを提供することを目的とする。
【課題を解決するための手段】
【０００８】
本発明によるヒューズベースは、ヒューズとリレーをヒューズベース本体に着脱可能に装着してなるヒューズベースであって、ヒューズベース本体はリレーを装着するリレー装着部とヒューズを装着するヒューズ装着部とをそれぞれ備え、装着されたヒューズとリレーの各端子を接続する内部配線がヒューズベース本体内に配設されていることを特徴とする。
本発明によるヒューズベースによれば、ヒューズベース本体内にヒューズとリレーを接続する内部配線が設けられているから、ヒューズとリレーをヒューズベース本体のヒューズ装着部とリレー装着部にそれぞれ装着することで、内部配線を通して導通させることができ、外部配線を設ける必要がなく外部配線の設置スペースも必要なく、外部配線を設置する手間も必要ないので外部配線の接続ミスなどもなく、接続作業が簡単でコストを低減できる。
【０００９】
また、本発明によるヒューズベースは、リレーがヒューズベース本体にそれぞれ装着される第一リレーと第二リレーとを少なくとも有しており、第一リレーと第二リレーとは接続部材を装着することで電気的に接続されることを特徴とする。
本発明によるヒューズベースにおいて、第一リレーと第二リレーを使用する場合には、接続部材を装着することで第一リレーと第二リレーを通電できる。第一リレーと第二リレーの一方だけを使用する場合には、接続部材をヒューズベース本体から離脱させておくことで第一リレーと第二リレーを遮断できて、一方を不使用状態にできる。
【００１０】
また、接続部材はヒューズ装着部に装着可能な接続用ヒューズであることが好ましい。
接続用ヒューズをヒューズ装着部に装着することで簡単に第一リレーと第二リレーを電気的に接続できる。第一リレーと第二リレーの一方を使用するには、接続用ヒューズをヒューズ装着部から取り外すことで電気的に遮断できる。
特に、ヒューズと接続用ヒューズを同一のもので構成すれば、同一のヒューズとヒューズ装着部を複数配設すればよいから構成が簡単で部品の種類を削減できる。
【発明の効果】
【００１１】
本発明によるヒューズベースによれば、ヒューズベース本体内にヒューズとリレーを接続する内部配線が設けられているから、ヒューズとリレーをヒューズベース本体に装着することで内部配線を通して導通させることができ、外部配線を設ける必要がなく外部配線の設置スペースも必要ない。しかも、外部配線を設計したり設置する手間が必要ないので外部配線の接続ミスなどもなく、接続作業が簡単であり、コストを低減できる。
【図面の簡単な説明】
【００１２】
【図１】本発明の第一実施形態によるヒューズベースの外観斜視図である。
【図２】図１に示すヒューズベースにリレーとヒューズを設置した回路配線構造を示す図である。
【図３】本発明の第二実施形態によるヒューズベースの外観斜視図である。
【図４】第二実施形態によるヒューズベースに第一リレーと第二リレーを装着して接続状態にした配線構造を示す図である。
【図５】図４に示すヒューズベースで第一リレーから第二リレーを遮断した状態の回路配線構造を示す図である。
【図６】従来例のヒューズベースに装着したヒューズとリレーを外部配線で接続した回路配線構造を示す図である。
【図７】他の従来例によるヒューズベースに装着する第一リレーと第二リレーを含む回路配線図であり、（ａ）は第一リレーと第二リレーを遮断した状態の図、（ｂ）は追加の外部配線で第一リレーと第二リレーを接続した状態の図である。
【発明を実施するための形態】
【００１３】
以下、本発明の第一実施形態によるヒューズベースを図１及び図２により説明する。
図１に示すヒューズベース１０は例えば建設機械の油圧ショベル等で用いるものであり、ヒューズベース本体１０ａが例えば長方形板状に形成されており、その長辺両側に沿ってヒューズ装着部１１が配列されている。ヒューズ装着部１１の内側にはリレー装着部１２が配列されている。図１に示すように、ヒューズ装着部１１は外側に２列に配設され、リレー装着部１２はその内側に２列に配設されている。
図１において、一方の列におけるヒューズ装着部１１には１つのヒューズ１３が装着され、隣接する列におけるリレー装着部１２には１つのリレー１４が装着されている。この状態で、装着されたヒューズ１３とリレー１４は電気的に接続されている。
【００１４】
図２は、図１においてヒューズベース本体１０ａのヒューズ装着部１１に装着されたヒューズ１３とリレー装着部１２に装着されたリレー１４との配線構造を示す図である。図２において、ヒューズベース本体１０ａの内部には、装着されたヒューズ１３の端子１３ａと、装着されたリレー１４のスイッチ端子１４ａ及び一方のコイル端子１４ｂとを接続する内部配線１５が配設されている。また、ヒューズ１３の他方の端子１３ｂは内部配線１５ａによってヒューズベース本体１０ａの外部端子１６に接続され、リレー１４の他方のコイル端子１４ｃは接地されている。
【００１５】
本実施形態によるヒューズベース１０は上述の構成を備えているから、ヒューズ１３とリレー１４をヒューズベース本体１０ａに設けたヒューズ装着部１１とリレー装着部１２に装着するだけで、ヒューズベース本体１０ａ内部に予め設置された内部配線１５によって電気的に接続される。
従って、本実施形態によるヒューズベース１０によれば、装着されたヒューズ１３とリレー１４を接続するための外部配線を設けなくて済むから、外部配線のスペースを確保する必要がない。しかも、ヒューズ１１やリレー１２をヒューズベース本体１０ａに設置する場合に接続用の外部配線を設計する必要がなく、接続の手間を省くことが出来て接続ミスが発生するおそれもなく、コストを低減できる。
【００１６】
次に本発明の第二実施形態によるヒューズベースを図３乃至図５により説明するが、上述した第一実施形態と同一または同様な部分、部材には同一の符号を用いてその説明を省略する。
本第二実施形態は、第一実施形態で示すヒューズベース１０において、例えば建設機械の油圧ショベル等に装着するアタッチメント（図示せず）で使用するための第二リレーを追加して装着するようにしたものである。
本実施形態において、ヒューズベース１０のヒューズベース本体１０ａには第一実施形態で示すヒューズ１３とリレー１４（これを便宜上、第一リレー１４とする）とが装着されている。そして、図示しないアタッチメント等で使用する第二リレー１７が第一リレー１４に隣接するリレー装着部１２に装着されている。第一リレー１４と第二リレー１７とは、例えば接続用ヒューズ１８をヒューズ装着部１１に装着することで電気的に接続されている。なお、接続用ヒューズ１８はヒューズ１３と同一のものを使用できる。
【００１７】
図４は本第二実施形態によるヒューズベース１０において、ヒューズベース本体１０ａのヒューズ装着部１１、１１に装着されたヒューズ１３及び接続用ヒューズ１８とリレー装着部１２、１２に装着された第一リレー１４及び第二リレー１７との配線構造を示す図である。
ヒューズベース本体１０ａ内には第一リレー１４に隣接してリレー装着部１２に装着された第二リレー１７のスイッチ端子１７ａと一方のコイル端子１７ｂを接続する第二内部配線２０が設置されている。そして、ヒューズ１３と第一リレー１４を接続する内部配線１５（これを便宜上、第一内部配線１５とする）は、ヒューズ装着部１１に装着された接続用ヒューズ１８の一方の端子１８ａまで延びて接続されており、第二内部配線２０は一方のコイル端子１７ｂから接続用ヒューズ１８の他方の端子１８ｂまで延びて接続されている。
そのため、ヒューズ１３及び第一リレー１４を接続する第一内部配線１５と第二リレー１７に接続する第二内部配線２０とは、接続用ヒューズ１８の装着によって導通され（図４参照）、離脱によって遮断される（図５参照）ことになる。
【００１８】
本第二実施形態によるヒューズベース１０は上述の構成を備えているから、第一リレー１４の使用状態から、例えば図示しないアタッチメント等を使用する場合には、アタッチメントに必要な第二リレー１７をヒューズベース本体１０ａにおける第一リレー１４に隣接するリレー装着部１２に装着すると共に、第一リレー１４と第二リレー１７を接続するために接続用ヒューズ１８をヒューズ１３に隣接するヒューズ装着部１１に装着する（図３参照）。
これによって、図４に示すように接続用ヒューズ１８によって第一内部配線１５と第二内部配線２０とが電気的に接続されるから、第一リレー１４と第二リレー１７が電気的に接続される。
また、第二リレー１７を使用しない場合には、接続用ヒューズ１８をヒューズ装着部１１から取り外せば、図５に示すように第二リレー１７は第一リレー１４から遮断され、第一リレー１４だけを使用できる。
【００１９】
上述のように、本第二実施形態によるヒューズベース１０によれば、第一リレー１４に第二リレー１７を接続して回路使用するには、接続用ヒューズ１８を所定のヒューズ装着部１１に装着すればよく、第二リレー１７を使用しない場合には接続用ヒューズ１８を取り外すだけで遮断できるから回路の切り換えが容易である。しかも、これらの回路を構成する第一内部配線１５と第二内部配線２０はヒューズベース本体１０ａ内に予め設置されているから外部配線を使用する必要がなく、第二リレー１７の使用に際して新たな外部配線を設計したり変更したりして設置する必要もなく外部配線のスペースも必要ない。そのため、コストを低減できる上に接続ミスも生じない。
【００２０】
なお、本発明によるヒューズベースは上述の各実施形態に限定されることなく、本発明の要旨を逸脱しない範囲で任意に変更等が可能である。
例えば、上述の第二実施形態によるヒューズベース１０では、第一リレー１４に第二リレー１７を接続する構成を採用したが、第一リレー１４または第二リレー１７に接続すべきリレーは１個に限定されることなく、２個以上であってもよい。いずれの場合でも接続用ヒューズ１８をヒューズ装着部１１に着脱することで導通と遮断を切り換えることができればよい。
【００２１】
また、上述の実施形態では、接続部材として、第一リレー１４と第二リレー１７の接続のために接続用ヒューズ１８を用いたが、接続部材は接続用ヒューズ１８に限定されることなく、着脱して内部配線１５、２０間を導通・遮断できるものであればよい。例えば、ヒューズ装着部１１に着脱可能な配線ブロック等を用いてもよい。
また、ヒューズベース１０におけるヒューズ装着部１１とリレー装着部１２の配列は上述した実施形態のものに限定されることなく、適宜の配列構成を採用できる。この場合でも、過電流通電防止用のヒューズ３と接続用ヒューズ１８を装着すべき各ヒューズ装着部１１の位置、複数のリレー１４，１７、…等をそれぞれ装着すべき各リレー装着部１２の位置とを予め設定しておけばよい。    
なお、本発明は、建設機械に用いるヒューズベースに限定されることなく、各種の機械や電気機器等に用いるヒューズベースに採用できることはいうまでもない。
【符号の説明】
【００２２】
１０  ヒューズベース
１０ａ  ヒューズベース本体
１１  ヒューズ装着部
１２  リレー装着部
１３  ヒューズ
１４  リレー、第一リレー
１５  内部配線、第一内部配線
１７  第二リレー
１８  接続用ヒューズ
２０  第二内部配線
【図１】
2011060642.tif 000003
【図２】
2011060642.tif 000004
【図３】
2011060642.tif 000005
【図４】
2011060642.tif 000006
【図５】
2011060642.tif 000007
【図６】
2011060642.tif 000008
【図７】
2011060642.tif 000009